(57)【要約】【課題】熱放出特性がさらに優れ、製造費用が低い陽極酸化金属基板モジュールを提供する。【解決手段】本発明による陽極酸化金属基板モジュールは、金属プレートと、上記金属プレート上に形成された陽極酸化膜と、上記金属プレート上に実装された熱発生素子と、上記陽極酸化膜上に形成された電気的配線とを含む。金属プレートは、アルミニウムまたはアルミニウム合金からなってもよい。熱発生素子は、少なくとも一つのＬＥＤを含んでもよい。【選択図】図３
2011193015.tif 000002
【特許請求の範囲】
【請求項１】
金属プレートと、
前記金属プレート上に形成された陽極酸化膜と、
前記金属プレート上に実装された熱発生素子と、
前記陽極酸化膜上に形成された電気的配線とを含む陽極酸化金属基板モジュール。
【請求項２】
前記金属プレートは、アルミニウムまたはアルミニウム合金からなることを特徴とする請求項１に記載の陽極酸化金属基板モジュール。
【請求項３】
前記熱発生素子は、少なくとも一つのＬＥＤを含むことを特徴とする請求項１に記載の陽極酸化金属基板モジュール。
【請求項４】
前記陽極酸化金属基板モジュールは、面光源装置またはバックライトユニットに使用されることを特徴とする請求項１に記載の陽極酸化金属基板モジュール。
【請求項５】
前記陽極酸化膜は、前記金属プレートの上面を選択的に開放するよう前記金属プレート上に選択的に形成されていることを特徴とする請求項１に記載の陽極酸化金属基板モジュール。
【請求項６】
前記熱発生素子は、前記陽極酸化膜により開放された領域の前記金属プレートの上面に実装されたことを特徴とする請求項５に記載の陽極酸化金属基板モジュール。
【請求項７】
前記陽極酸化膜により開放された領域の前記金属プレートの上面に形成された金属層をさらに含むことを特徴とする請求項５に記載の陽極酸化金属基板モジュール。
【請求項８】
前記金属層と前記金属プレートとの間に形成された絶縁層をさらに含むことを特徴とする請求項７に記載の陽極酸化金属基板モジュール。
【請求項９】
前記陽極酸化膜は前記金属プレートの上面を選択的に開放するよう選択的に形成され、前記陽極酸化膜により開放された領域の前記金属プレートの上面には反射コップを有するよう一つ以上の溝が形成されており、
前記反射コップの底面にはＬＥＤが実装されていることを特徴とする請求項１に記載の陽極酸化金属基板モジュール。
【請求項１０】
前記陽極酸化金属基板モジュールは、面光源装置またはバックライトユニットに使用されることを特徴とする請求項９に記載の陽極酸化金属基板モジュール。
【請求項１１】
前記金属プレートの下面には前記金属プレートと一体を成して空気との接触面積を広げることの出来る熱シンク構造が提供されることを特徴とする請求項１に記載の陽極酸化金属基板モジュール。
【請求項１２】
前記熱シンク構造は、前記金属プレートの下面に提供され前記金属プレートに垂直に延長された冷却フィンであることを特徴とする請求項１１に記載の陽極酸化金属基板モジュール。
【発明の詳細な説明】
【技術分野】
【０００１】
本発明は、ＬＥＤ、パワーチップなど熱を発生する素子が実装される基板モジュールに関するものであって、特にバックライトユニット（ｂａｃｋｌｉｇｈｔ  ｕｎｉｔ）や面光源装置などに応用することができ、熱放出特性に優れた陽極酸化金属基板モジュールに関する。
【背景技術】
【０００２】
最近、回路基板の熱放出特性を改善しようとする研究が進行されている。通常従来には、絶縁性ベース基板を有する印刷回路基板（Ｐｒｉｎｔｅｄ  Ｃｉｒｃｕｉｔ  Ｂｏａｒｄ：ＰＣＢ）に熱発生素子を実装している。ところが、通常のＰＣＢは熱伝達特性が良好ではないため、ＬＥＤ（Ｌｉｇｈｔ  Ｅｍｉｔｔｉｎｇ  Ｄｉｏｄｅ：発光ダイオード）またはパワーチップなどの熱を多く発生する素子を実装する場合、製品の信頼性が悪化され易い。通常のＰＣＢの劣れている熱放出特性は、特にＬＣＤディスプレーのバックライトユニットや面光源装置においては重大な弱点として作用する。
【０００３】
図１は、従来の通常のＰＣＢを概略的に示した断面図である。図１を参照すると、ＰＣＢ１０は樹脂またはプラスチック材質の絶縁性ベース基板１１と、その上面及び下面に形成された電気的配線１４とを含む。上部及び下部配線１４は、例えば、導電性ビア１５を通じて相互電気的に連結されることが出来る。このビア１５は、電気的連結だけでなく、熱伝達経路（ｐａｔｈ）として作用することが出来る。ベース基板１１の上面には、配線１４と連結されるよう部品（例えば、ＬＥＤまたはパワーチップなど）が実装される。
【０００４】
このような通常のＰＣＢ１０は、安価な材料費、加工の容易さなどにより、その価格が相対的に低価であるが、熱抵抗が高いため熱放出特性が良好でない。このような問題を解決すべく、熱伝達特性に優れた金属部材を使用した金属コアＰＣＢ（Ｍｅｔａｌ  Ｃｏｒｅ  ＰＣＢ；ＭＣＰＣＢ）が提案された。図２は、ＭＣＰＣＢを概略的に示した断面図である。図２を参照すると、ＭＣＰＣＢ２０は、アルミニウムなどからなる金属コア基板２１と、その上面に形成されたポリマー絶縁層２３とを含む。ポリマー絶縁層２３上には、電気的配線２５が形成されており、必要な素子２７、２８が実装されている。このようなＭＣＰＣＢ２０は通常のＰＣＢ（図１参照）に比べて熱放出特性は良好であるものの、比較的高い熱伝導度を有する高価のポリマー絶縁層２３を使用することにより、製造費用が非常に高い。
【発明の開示】
【発明が解決しようとする課題】
【０００５】
本発明は、上記の問題点を解決するためのものであって、その目的は、熱放出特性がさらに優れ、製造費用が低く、ＬＥＤを採用した面光源装置またはバックライトユニット等に容易に応用できる陽極酸化金属基板モジュールを提供することにある。
【課題を解決するための手段】
【０００６】
上述の技術的課題を達成すべく、本発明による陽極酸化金属基板モジュールは、金属プレートと、上記金属プレート上に形成された陽極酸化膜と、上記金属プレート上に実装された熱発生素子（ＬＥＤ、パワーチップなど）と、上記陽極酸化膜上に形成された電気的配線とを含む。
【０００７】
好ましくは、上記金属プレートは、比較的低価で容易に手に入るアルミニウムまたはアルミニウム合金からなっている。ほかにも、上記金属プレートは、陽極酸化可能な（ａｎｏｄｉｓａｂｌｅ）他の金属からなることができ、例えば、チタニウム、マグネシウムなどの材料が可能である。
【０００８】
本発明の実施形態によると、上記熱発生素子は、少なくとも一つのＬＥＤを含む。例えば、上記陽極酸化金属基板モジュールは、上記金属プレート上に実装された複数の光源（例えば、ＬＥＤなど）を備えることにより、面光源装置またはバックライトユニットに使用されることが出来る。上記熱発生素子は、パワーチップなどの電力素子を含むことも出来る。
【０００９】
本発明の好ましい実施形態によると、上記陽極酸化膜は、上記金属プレートの上面を選択的に開放するよう上記金属プレート上に選択的に形成されることが出来る。この場合、上記熱発生素子から発生した熱をより効果的に放出できるよう、上記熱発生素子は上記陽極酸化膜により開放された領域の上記金属プレートの上面に実装されることが出来る。
【００１０】
また、上記陽極酸化膜により開放された領域の上記金属プレートの上面には金属層が形成されることが出来る。この金属層は、上記熱発生素子の実装時にソルダーリングのためのメッキ層であることもでき、または上記熱発生素子を実装させるための金属ペーストであることも出来る。上記陽極酸化金属基板モジュールは、上記金属層と上記金属プレートとの間に形成された絶縁層をさらに含むことも出来る。この絶縁層は、上記金属層上に実装される素子を上記金属プレートから絶縁させる役割をすることが出来る。
【００１１】
本発明の好ましい一実施形態によると、上記陽極酸化膜は、上記金属プレートの上面を選択的に開放するよう上記金属プレート上に選択的に形成され、上記陽極酸化膜により開放された領域の上記金属プレートの上面には、反射コップを有するよう一つ以上の溝が形成されている。この反射コップの底面にはＬＥＤが実装されることが出来る。これによると、著しく改善された熱放出特性を示すことが出来ると共に、高い光効率を有する面光源装置またはＬＥＤ基盤のバックライトユニットを具現することが可能となる。
【００１２】
本発明の好ましい一実施形態によると、上記金属プレートの下面には、上記金属プレートと一体を成して空気との接触面積を広げることが出来る熱シンク（ｈｅａｔ  ｓｉｎｋ）構造が提供されることが出来る。例えば、上記金属プレートの下面には、上記金属プレートに垂直に延長された冷却フィン（ｃｏｏｌｉｎｇ  ｆｉｎｓ）が提供されることが出来る。
【００１３】
本発明は、熱放出特性及び製造費用において、従来に比べて著しく改善された基板モジュールを提供する。この基板モジュールは、これに実装された多数のＬＥＤ（例えば、複数の青色、緑色及び赤色光ＬＥＤ）を備えることにより、高品質の面光源装置またはバックライトユニットに用いられることが出来る。ほかにも本発明の基板モジュールは、パワーチップなど熱を多く発生する素子を実装するに適した回路基板モジュールとして用いられることが出来る。
【発明の効果】
【００１４】
本発明によると、金属プレート／陽極酸化膜の積層構造を用いることにより、熱放出特性が著しく改善されるだけでなく、製造費用を低減させ、製造工程をより単純化させることが可能となる。このような陽極酸化金属基板モジュールを使用することにより、熱放出特性に非常に優れる面光源、バックライトユニットまたはその他の熱発生素子が実装された回路基板を容易に具現することが可能となる。
【発明を実施するための最良の形態】
【００１５】
以下、図面を参照に本発明の実施形態及び効果に関して詳しく説明する。本発明の実施形態は、様々な形態に変形されることができ、本発明の範囲が以下に説明する実施形態に限られるのではない。本発明の実施形態は、当業界において平均的な知識を有している者に本発明をより完全に説明するため提供される。従って、図面において要素の形状及び大きさ等はより明確な説明のために誇張されることができ、図面上の同一符号で表示される要素は同一要素である。
【００１６】
図３は、本発明の一実施形態による陽極酸化金属基板モジュールを概略的に示した図面である。図３の（ａ）は断面図を示し、（ｂ）はその平面図を示す。図３を参照すると、陽極酸化金属基板モジュール１００は、アルミニウム（Ａｌ）またはアルミニウム合金からなる金属プレート１０１と、この金属プレート１０１の上面に形成されたアルミニウム陽極酸化膜１０３とを含む。金属プレート１０１の上にはＬＥＤ、パワーチップのような熱発生素子１０６〜１１１が実装されている。陽極酸化膜１０３の上には、上記素子１０６〜１１１に電気的接続を提供する配線１０５が形成されている。従って、陽極酸化膜１０３は、配線１０５と金属プレート１０１とを相互絶縁させる役割が出来る。陽極酸化膜１０３の一側上には、電気的配線と連結できるコネクタ１２０などの他の部品が配置されることが出来る。上記配線１０５は、例えば、伝導性ペーストが塗布、金属蒸着またはインクジェットプリンティング方式を用いて形成されることが出来る。
【００１７】
アルミニウム（Ａｌ）は、比較的低価で容易に手に入る金属材料であるだけでなく、熱伝達特性に非常に優れている。さらに、アルミニウムを陽極酸化（ａｎｏｄｉｚｉｎｇ）処理して得たアルミニウム陽極酸化膜（Ａｌ２Ｏ３）も約１０乃至３０Ｗ／ｍＫの比較的高い熱伝達特性を有する。従って、上記陽極酸化金属基板１００は、従来のポリマー基板のＰＣＢまたはＭＣＰＣＢに比べてさらに優れた熱放出特性を表すことになる。これに加え、アルミニウムを陽極酸化する工程は、知られている比較的容易な工程であり、その工程費用及び時間も比較的安価で短い。従って、本発明の基板モジュールは、製造工程の側面でも非常に便利である。
【００１８】
本実施形態において、ベース基板である金属プレート１０１としては、ＡｌまたはＡｌの合金を使用し、陽極酸化膜１０３としてはＡｌ２Ｏ３を使用しているが、本発明はこれに限られない。金属プレートは、陽極酸化可能な（ａｎｏｄｉｓａｂｌｅ）他の金属からなることができ、例えば、チタニウム、マグネシウムなどの材料が可能である。しかし、材料費用と安定性の側面で金属プレートの主材料としてはアルミニウムを使用することが好ましい。
【００１９】
上記陽極酸化金属基板モジュール１００は特に、ＬＣＤディスプレーのバックライトユニットや面光源装置に用いられるに適している。即ち、上記実装された多数の熱発生素子１０６〜１１１を複数のＬＥＤで構成することにより、熱放出特性に優れた高品質の面光源装置を具現することが可能となる。例えば、上記陽極酸化金属基板モジュール１００内に赤色、緑色及び青色光ＬＥＤを各々複数個実装することにより、上記陽極酸化金属基板モジュール１００は、白色光を出すバックライト用白色面光源装置として使用されることが出来る。ＬＥＤ基板の面光源装置において、解決すべき問題点の一つは、ＬＥＤから発生した多くの熱をどう効果的に外部へ放出するかである。このような側面で、本発明の陽極酸化金属基板モジュールは、面光源またはバックライトユニット用として非常に大きい有用性を提供する。
【００２０】
上記陽極酸化金属基板モジュール１００は、面光源の外にも一般的な回路基板モジュールとして有用に使用することが出来る。例えば、パワーチップや他の集積回路素子など熱を多く発生する素子を実装するに適した回路基板として用いられることが出来る。
【００２１】
図４は、本発明の他の実施形態による陽極酸化金属基板モジュール２００を概略的に示した図面である。図４の（ａ）は断面図を示し、（ｂ）は概略的な平面図を示す。この実施形態では、熱発生素子から発生した熱をさらに効果的に放出できるよう陽極酸化膜が一部領域にのみ選択的に形成されている。この場合、金属プレート１０１が熱伝達の経路（ｐａｔｈ）として直接用いられる。
【００２２】
図４を参照すると、陽極酸化膜１１３は、金属プレート１０１上に選択的に形成され金属プレート１０１の上面を選択的に開放している。陽極酸化膜１１３により露出された開放部１０４には熱発生素子１０６〜１０８が実装されている。陽極酸化膜１１３よりは金属プレート１０１の方が熱伝導率（数百Ｗ／ｍＫに及ぶ）が高いため、開放部１０４上に直接実装された素子１０６〜１０８の発生熱は、さらに効果的に外部へ放出できる。便宜上図４（ｂ）の平面図には配線１０５と素子１０６〜１０８を図示していない。
【００２３】
選択的に形成された陽極酸化膜１１３は、一旦金属プレート１０１の上面全体を陽極酸化させた後、選択的に一部陽極酸化膜を除去することで得られる。即ち全面陽極酸化及び選択的除去（または蝕刻）という２つの工程を順次に実施することにより、金属プレート１０１から選択的に形成された陽極酸化膜１１３を得ることが出来る。
【００２４】
また、上記選択的陽極酸化膜１１３は、陽極酸化処理の時に適切なマスクパターンを用いることにより、最初から選択的に形成させることも出来る。例えば、先にレジストパターンや酸化膜パターンなどの適切なマスクパターンを金属プレート１０１の上面に形成した後、陽極酸化処理を実施することが出来る。これによって、金属プレート１０１上で選択的陽極酸化が起き、選択的に金属プレート１０１を開放する陽極酸化膜１１３が形成されることが出来る。
【００２５】
図５は、図４の陽極酸化金属基板モジュールの変形例を示した図面である。図５を参照すると、陽極酸化金属基板モジュール２００’は、図４のモジュール２００と同様に金属プレート上に選択的に形成された陽極酸化膜１１３を含む。この実施形態では、陽極酸化膜１１３により開放された領域１０４の金属プレート１０１の上面には金属層１３０がさらに形成されている。ＬＥＤ、パワーチップなどの熱発生素子１０６〜１０８は、この金属層１３０上に実装されている。
【００２６】
上記金属層１３０は、熱発生素子１０６〜１０８の実装時にソルダーリングのためのメッキ層であることも出来る。また、上記金属層１３０は、熱発生素子１０６〜１０８を実装させるための金属ペーストであることも出来る。例えば、上記開放部１０４上に金属ペーストを形成した後、光源、ＬＥＤまたはパワーチップなどを直ちに開放部１０４に実装し、上記ペーストを硬化させることが出来る。これによって、優れた熱放出特性を有する基板モジュールの製造時間を大きく縮めることが可能となる。
【００２７】
図６は、本発明の一実施形態による陽極酸化金属基板モジュールの一部を示した部分断面図である。図６に図示された通り、選択的に形成された陽極酸化膜１１３により開放された領域１０４上には、絶縁層１４０と金属層１３０が順次積層されていることが出来る。即ち、金属層１３０が金属プレート１０１上に直接形成されず、金属層１３０と金属プレート１０１との間に絶縁層１４０が介在されている。この絶縁層１４０は、比較的熱伝達特性が良好なＡｌ２Ｏ３からなることが出来る。このような絶縁層１４０は、金属プレート１０１から金属層１３０を絶縁させる。従って、金属層１３０上に実装された熱発生素子（未図示）の底は、絶縁層１４０により金属プレート１０１から絶縁されることが出来る。このような構成は、特に熱発生素子が金属プレート１０１を共通電極として使用できない場合に必要となることが出来る。
【００２８】
図７は、本発明の他の実施形態による陽極酸化金属基板モジュールの一部を示した部分断面図である。図７を参照すると、陽極酸化膜１１３は、金属プレート１０１の上面を選択的に開放させるよう選択的に形成されている。また、陽極酸化膜１１３により開放された領域の金属プレート１０１の上面には、反射コップを有するよう一つ以上の溝１１４が形成されている。この反射コップの底面には、例えば、ＬＥＤ１２６などの発光素子が実装されることが出来る。上記溝１１４は、選択的陽極酸化と蝕刻を通じて得ることが出来る。即ち、開放部（例えば、図４の１０４）を露出させる選択的な陽極酸化膜１１３をマスクとして使用して、その開放部１０４を陽極酸化処理し、この際に生成された陽極酸化物を蝕刻することにより、上記の溝１１４を形成することが出来る。
【００２９】
図７の陽極酸化金属基板モジュールは、優れた熱放出特性と高い発光効率を有する面光源装置またはＬＥＤ基盤のバックライトユニットを具現することを可能とする。即ち、アルミニウムのような反射度の高い金属で反射コップが形成されているため、反射コップの側面は、非常に高い反射度を有する反射面１２４を提供することが出来る。ＬＥＤ光を所望の出射方向に効果的に反射させることにより、全体的な発光効率はさらに改善される。また、基板自体がアルミニウムなどの金属材料から成っているため、熱伝達特性も優れる。
【００３０】
図８は、本発明のまた異なる実施形態による陽極酸化金属基板モジュールを概略的に示した断面図である。図８を参照すると、陽極酸化金属基板モジュール３００は、熱放出にさらに有利な金属プレート１０２の下部構造を設ける。即ち、金属プレート１０２の下面には、金属プレート１０２と一体を成しつつも外部空気との接触面積を広げることが出来る（これによって冷却効果をさらに得ることが出来る）熱シンク構造が提供されている。具体的には、金属プレート１０２の下面には、このプレート１０２に垂直して延長されている冷却フィンが形成されている。
【００３１】
このように金属プレート１０２と一体になっている冷却フィンを金属プレート１０２の下面に提供することにより、従来に別途で製作され、ＰＣＢまたはＭＣＰＣＢ基板の下面に接合された厄介さを解消することが可能となる。また、上記一体化された冷却フィン（広くは、熱シンク構造）を使用することにより、熱シンクと基板接触時に発生し得る接着物質の接着信頼性の劣化問題などを克服することが可能となる。
【実施例】
【００３２】
本発明者らは、従来技術によるＰＣＢまたはＭＣＰＣＢの熱伝達特性と、本発明の陽極酸化金属基板モジュールの熱伝達特性を比較して確認するため、コンピューターシミュレーションによる模擬実験を実施した。この模擬実験のため、比較例１、比較例２及び実施例のサンプルを設定し、比較例１は、図１に示されたような構成を有する通常の樹脂（ＦＲ４）基盤のＰＣＢで、比較例２は、アルミニウムコアを使用したＭＣＰＣＢである（図２参照）。実施例は図３に図示された通り、‘アルミニウムプレート／アルミニウム陽極酸化膜’の積層構造を有する陽極酸化基板モジュールである。比較例２では、ＭＣＰＣＢにおいて通常用いられる約１．３Ｗ／ｍＫの熱伝導率を有するポリマー絶縁層が使用された。これに対してアルミニウム陽極酸化膜は、１０乃至３０Ｗ／ｍＫの熱伝導率を有する。
【００３３】
上記の３種類のサンプル（比較例１、比較例２及び実施例）に関する熱抵抗シミュレーション結果が図９乃至図１１に図示されている。図９及び図１０は、それぞれ比較例１及び比較例２に関する熱抵抗シミュレーション結果を示し、図１１は実施例の熱抵抗シミュレーション結果を示す。図９乃至図１１において、最上層にある小さい部分が熱発生素子で、最下層がベースプレート（図１１ではアルミニウムプレートに該当）である。中間層はポリマー（図９、図１０）またはアルミニウム陽極酸化膜（図１１）を示す。
【００３４】
図９乃至図１１において、同一濃淡は同一温度を示す。上記のシミュレーション結果によると、比較例１の熱抵抗指数が１７．９で比較例２の熱抵抗指数が１２．１７１である反面、実施例の熱抵抗指数は約１０．６に過ぎなかった（上記熱抵抗指数は温度が最も高い熱発生素子（Ｄ）と温度が最も低い基板底面との温度差に該当する）。このような熱抵抗シミュレーション結果から本発明による基板モジュールは、従来に比べて著しく改善された熱放出特性を示すことが確認できた。
【００３５】
本発明は、上述の実施形態及び添付の図面により限定されず、添付の請求範囲により限定される。また、本発明は請求範囲に記載された本発明の技術的思想を外れない範囲内で様々な形態の置換、変形及び変更が出来るということは当技術分野の通常の知識を有している者には自明である。
【図面の簡単な説明】
【００３６】
【図１】従来の通常の印刷回路基板（ＰＣＢ）の概略的断面図である。
【図２】従来の金属コア印刷回路基板（ＭＣＰＣＢ）の概略的断面図である。
【図３】本発明の一実施形態による陽極酸化金属基板モジュールを概略的に示した図面である。
【図４】本発明の他の実施形態による陽極酸化金属基板モジュールを概略的に示した図面である。
【図５】図４の陽極酸化金属基板モジュールの変形例を示した図面である。
【図６】本発明の一実施形態による陽極酸化金属基板モジュールの一部を示した部分断面図である。
【図７】本発明の他の実施形態による陽極酸化金属基板モジュールの一部を示した部分断面図である。
【図８】本発明のまた異なる実施形態による陽極酸化金属基板モジュールを概略的に示した断面図である。
【図９】比較例１に関する熱抵抗シミュレーション結果を示した図面である。
【図１０】比較例２に関する熱抵抗シミュレーション結果を示した図面である。
【図１１】実施例に関する熱抵抗シミュレーション結果を示した図面である。
【符号の説明】
【００３７】
１００、２００、２００’、３００  陽極酸化金属基板モジュール
１０３  陽極酸化膜
１０１、１０２  金属プレート
１０５  配線
１１３  陽極酸化膜パターン
１０４  開放部
１０６、１０７、１０８、１０９、１１０、１１１  実装素子
１１４  反射コップ
１２０  コネクタ
１２４  反射面
１２６  ＬＥＤ
１３０  金属層
１４０  絶縁層
【図１】
2011193015.tif 000003
【図２】
2011193015.tif 000004
【図３】
2011193015.tif 000005
【図４】
2011193015.tif 000006
【図５】
2011193015.tif 000007
【図６】
2011193015.tif 000008
【図７】
2011193015.tif 000009
【図８】
2011193015.tif 000010
【図９】
2011193015.tif 000011
【図１０】
2011193015.tif 000012
【図１１】
2011193015.tif 000013
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
金属プレートと、
前記金属プレート上に形成され、前記金属プレートの上面を選択的に開放して複数の開放領域を形成する陽極酸化膜と、
前記陽極酸化膜により開放された複数の開放領域の一部に形成される絶縁層と、
前記複数の開放領域に実装された複数の熱発生素子と、
前記陽極酸化膜上に形成された電気的配線と
を含み、
前記複数の熱発生素子の一部は前記金属プレートの上面に実装され、他の一部は前記絶縁層に実装され、前記金属プレートの上面に実装された熱発生素子は前記金属プレートを共通電極として使用する陽極酸化金属基板モジュール。
【請求項２】
前記金属プレートは、アルミニウムまたはアルミニウム合金からなることを特徴とする請求項１に記載の陽極酸化金属基板モジュール。
【請求項３】
前記複数の熱発生素子は、少なくとも一つのＬＥＤを含むことを特徴とする請求項１または請求項２に記載の陽極酸化金属基板モジュール。
【請求項４】
前記複数の開放領域の一部が、前記金属プレートの上面に形成された金属層をさらに含むことを特徴とする請求項１から請求項３までのいずれか一項に記載の陽極酸化金属基板モジュール。
【請求項５】
前記複数の開放領域のひとつは、前記金属プレートの上面に反射コップを有するよう一つ以上の溝が形成されており、
前記反射コップの底面にはＬＥＤが実装されていることを特徴とする請求項１から請求項４までのいずれか一項に記載の陽極酸化金属基板モジュール。
【請求項６】
前記陽極酸化金属基板モジュールは、面光源装置またはバックライトユニットに使用されることを特徴とする請求項１から請求項５までのいずれか一項に記載の陽極酸化金属基板モジュール。
【請求項７】
前記金属プレートの下面には前記金属プレートと一体を成して空気との接触面積を広げることの出来る熱シンク構造が提供されることを特徴とする請求項１から請求項６までのいずれか一項に記載の陽極酸化金属基板モジュール。
【請求項８】
前記熱シンク構造は、前記金属プレートの下面に提供され前記金属プレートに垂直に延長された冷却フィンであることを特徴とする請求項７に記載の陽極酸化金属基板モジュール。
【請求項９】
前記複数の開放領域の一部において、素子が実装されていない前記金属プレートが露出することを特徴とする請求項１から請求項８までのいずれか一項に記載の陽極酸化金属基板モジュール。